(57)【要約】      （修正有）【課題】液晶表示方式のビデオカメラの液晶モニターを光学ファインダーに変換すると共に携帯用ケースとしても使用できる外付け光学ファインダーを提供する。【解決手段】装置本体１は円筒形状のビデオカメラを収納可能な筒型の形態になっている。本装置の後部には開閉ふた２がついており、ヒンジ６を中心に開閉でき、ビデオカメラを使用しない場合はここを開けて本装置内に収納できるようになっている。その裏側には緩衝材５を設置しビデオカメラ収納時の緩衝の役目を持たせている。装置の前面にはレンズ３がついており、接眼部９から液晶画面を視認することが出来る。ビデオカメラの液晶モニターは装置本体の側面の挿入口４より挿入して固定する。緩衝材付きストッパー８はビデオカメラの収納時にカメラがレンズ３に当たるのを防止する。【選択図】図１
0003181509.tif 000002
【実用新案登録請求の範囲】
【請求項１】
液晶表示方式のビデオカメラを収納可能な大きさの筒型容器の後部の相対する両側面に，ビデオカメラの液晶モニターの寸法に応じた開口部を設けて液晶モニターを挿入し，容器の前部にはレンズを装着して，前面開口部より接眼して液晶モニターをみれるようにすることにより，光学ファインダー方式を実現し，更に容器には開閉ふたを設けて，ビデオカメラの収納ケースとしても使用可能にした外付け光学ファインダー．
【請求項２】
前記外付け光学ファインダーにおいて，レンズの取り付け構造にネジ方式またはスライド方式などによりレンズを前後に移動する機構を導入することにより焦点位置の調節を可能とした外付け光学ファインダー．
【請求項３】
前記の外付け光学ファインダーにおいて，並置した本装置とビデオカメラをマジックテープなどで固定する構造を取り入れた外付け光学ファインダー．
【請求項４】
前記の外付け光学ファインダーにおいて，各社のそれぞれのビデオカメラの液晶モニターの寸法に応じた挿入口を持ったアタッチメントを別に用意し，本装置の側面の挿入口に貼り付けることにより，各社のビデオカメラに対応できるようにした外付け光学ファインダー．
【考案の詳細な説明】
【技術分野】
【０００１】  本考案は液晶表示方式のビデオカメラの液晶モニターを光学ファインダーに変換すると共に携帯用ケースとしても使用できる外付け光学ファインダーに係る．
【背景技術】
【０００２】  従来からビデオカメラの撮影対象を視認する装置として，写真カメラと同様に光学ファインダーが使用されてきたが，液晶表示装置の実現により液晶モニターも併用されるようになり，遂に現在ではビデオカメラの小型化とコストダウンのため光学ファインダーを廃止し，殆ど全ての携帯用ビデオカメラの表示装置が液晶モニターのみになっている．【０００３】  液晶技術の進歩により画面の精細度は高まり，輝度も増加してきてはいるが，液晶モニターは光学ファインダーに比べて次の問題がある．第一に液晶モニターの画面は光学ファインダーに比べて小さいため細かい点が視認しがたく，更に外光から隔絶されていないため画面が見づらく，それも昼間の太陽光のもとでは著しい，などから高齢者など視力の弱い利用者は大変な不便を強いられている．【０００４】  第二にビデオカメラは写真カメラと違い，長時間に亙って連続撮影をしたり，動くものを追跡撮影したり，或いはズームを効かせるなどの操作を行うことが多い．液晶モニターでは目から明視距離だけ離す必要があり，カメラの保持が不安定になり，手ブレを起こし易く，また高速移動中の対象物の追従撮影も難しい．これに対して光学ファインダー方式ではカメラを保持する手を体に密着させられるので，安定性があり，撮影方向の移動もスムーズに行うことができる．【０００５】  以上の問題は液晶表示の写真カメラにおいても存在し，液晶表示部の取り付け構造が比較的簡単なカメラにおいて，付加装置をカメラに取り付けることにより光学ファインダーを実現する提案が特許文献１，特許文献２及び特許文献３に示すようになされている．カメラでは液晶表示装置はカメラ後部に固定して取り付けられているため，これらの特許では何れも付加装置はカメラ本体に取り付けている．一方，ビデオカメラでは液晶モニターはカメラ本体に固定されずヒンジで取り付けられ，カメラ本体から９０度の角度で開いて使用し，かつ画面を自由に回転できるようになっているので，付加装置はカメラ本体ではなく液晶モニターに取り付ける必要がある．従って取り付け方法がカメラとは異なり，かつ余り重いものを取り付けられない．特に特許文献３の装置は構造上かなりの重量になると思われる．このような取付上の問題からこれらの方式をビデオカメラに使用することは難しい．また特許文献１及び特許文献２の装置では外光を遮光していないので、外光による見づらい問題もある．以上の問題から現在までのところ液晶表示のビデオカメラに適した光学ファインダー化装置の提案は見られない．
【先行技術文献】
【０００６】
【特許文献１】実用新案登録第３１２４７９９号公報
【特許文献２】実用新案登録第３１６３８４２号公報
【特許文献３】実用新案登録第３１５９５４８号公報
【考案の概要】
【考案が解決しようとする課題】
【０００７】  本考案では背景技術で述べた液晶モニターの問題点を解決するためビデオカメラ自体には手を加えることなく，その液晶モニターを利用し付加装置を用意して光学ファインダー方式を実現する．
【課題を解決するための手段】
【０００８】  本考案では光学ファインダーを実現するためにビデオカメラとは別に外付け装置を用意し，ビデオカメラと隣接して取付け，一体として使用する．そして外付け装置の後部の相対する両側面に開けた挿入口の片側よりビデオカメラの液晶モニターを挿入し，その先端部を反対側の側面から出す．これにより液晶モニターを外付け装置と光学的に正確な位置に固定することができる．そしてこの装置の前部の接眼部からレンズを通して液晶モニターの画面を視認することにより光学ファインダー方式を実現する．レンズにより大画面に拡大され，装置内は外光から遮断されるので画面は見易くなり，さらに光学ファインダー方式のビデオカメラと同様に体に密着して保持できるので，液晶モニターの課題が全て解決できる．【０００９】  また本装置内は空洞であるので，それを利用してカメラの収納ケースとしても利用する．近年，ビデオカメラが小型化され，かつ形状が円筒形になることによりこれが可能となった．これにより本装置を追加しても持ち運びの手間も殆ど増えず，別にケースを必要としないので，追加の費用も減らすことができる．【００１０】  液晶表示ビデオカメラの液晶モニターに使用される液晶表示装置の寸法は規格化されており，各社のビデオカメラでも液晶モニターの寸法には大きな違いはないので，対象となる機種のサイズの最大のものに合わせて外付け光学ファインダーの側面の挿入口を開けておけば対処できる．若し寸法の小さい液晶モニターで，外光の侵入，本装置とビデオカメラとの緩みの問題などが懸念される機種に対しては，その機種の液晶モニターの外形寸法に適合した開口寸法のアタッチメントを別に用意して，本装置の液晶モニター挿入口に貼り付けることで解決できる．
【考案の効果】
【００１１】  液晶表示方式のビデオカメラに本考案の外付け光学ファインダーを使用することにより，ビデオカメラ自体には手を加えることなく，簡単に光学ファインダー方式のビデオカメラに転換することができ，液晶表示方式の問題点である，画面が小さく細かいものが見分け難い，外光により画面が見難い，手ブレを起こし易い，そして早い移動体の撮影が難しいなどの問題点を解決できる．【００１２】  本考案の装置はビデオカメラの収納ケースとしても使用できるため，持ち運びのための余分の手間が殆どない．収納ケースを別に用意する必要がなく，装置自体はレンズを除けば費用を要するものが少ないので，全体として少ない費用で製作することができる．【００１３】  ビデオカメラの液晶モニターの表示部の寸法は規格化されているので，前述のアタッチメントを用意することなどにより，本装置を各社のビデオカメラに使用できる．
【考案を実施するための形態】
【００１４】  本考案の外付け光学ファインダーについて図面に基づき，その構造及び利用形態について説明する．
【００１５】  図１が本装置の断面図である．装置本体１は円筒形状のビデオカメラを収納可能な筒型の形態になっている．本装置の後部には開閉ふた２がついており，ヒンジ６を中心に開閉でき，ビデオカメラを使用しない場合はここを開けて本装置内に収納できるようになっている．その裏側には緩衝材５を設置しビデオカメラ収納時の緩衝の役目を持たせている．装置の前面にはレンズ３がついており，接眼部９から液晶画面を視認することが出来る．ビデオカメラの液晶モニターは装置本体の側面の挿入口４より挿入して固定する．緩衝材付きストッパー８はビデオカメラの収納時にカメラがレンズ３に当たるのを防止するのに使用する．図示していないが接眼部９の外側に厚みのあるドーナツ型の緩衝材をつけて本装置を収納ケースとして使用する際のレンズの保護を行うのもよい．また図ではビデオカメラの収納口は装置の後部になっているが，前部また側面にすることもできる．
【００１６】  図２はビデオカメラの液晶モニターを本考案の外付け光学ファインダーに挿入しつつある時の状態を示している．ビデオカメラ１１の液晶モニター１２は外付け光学ファインダー１の挿入口１０より挿入する．
【００１７】  図３は液晶モニターを本考案の外付け光学ファインダー内に挿入し，ビデオカメラと本装置を隣接させて使用状態になったものを示している．図では示していないが，両装置は必要あればマジックテープなどを利用して両者を固定すればよい．
【図面の簡単な説明】
【００１８】
【図１】本考案の外付け光学ファインダーの断面図である．
【図２】ビデオカメラの液晶モニターを本考案の外付け光学ファインダーに挿入中の状況を示す．
【図３】本考案の外付け光学ファインダーをビデオカメラに装着して，撮影可能な状態にした形態を示す．
【符号の説明】
【００１９】１・・・・・・本考案の外付け光学ファインダー本体
２・・・・・・装置後部の開閉ふた
３・・・・・・レンズ
４・・・・・・ビデオカメラの液晶モニターの挿入口
５・・・・・・緩衝材
６・・・・・・開閉用ヒンジ
７・・・・・・ふたの留め具
８・・・・・・緩衝材つきストッパー
９・・・・・・接眼部
１０・・・・・ビデオカメラ
１１・・・・・ビデオカメラの液晶モニター
【図１】
0003181509.tif 000003
【図２】
0003181509.tif 000004
【図３】
0003181509.tif 000005
【手続補正書】
【提出日】平成24年11月12日(2012.11.12)
【手続補正１】
【補正対象書類名】明細書
【補正対象項目名】００１７
【補正方法】変更
【補正の内容】
【００１７】  図３は液晶モニターを本考案の外付け光学ファインダー内に挿入し，ビデオカメラと本装置を隣接させて使用状態になったものを示している．図では示していないが，両装置は必要あれば面ファスナーを利用して両者を固定すればよい．
【手続補正２】
【補正対象書類名】実用新案登録請求の範囲
【補正対象項目名】全文
【補正方法】変更
【補正の内容】
【実用新案登録請求の範囲】
【請求項１】
液晶表示方式のビデオカメラを収納可能な大きさの筒型容器の後部の相対する両面に，ビデオカメラの液晶モニターの寸法に応じた開口部を設けて液晶モニターを挿入し，ビデオカメラとこの筒型容器を並置して，筒型容器前面に設けた開口部より接眼し，その前方に設置したレンズを通して液晶モニターの拡大画像をみれるようにすることにより，光学ファインダー方式のビデオカメラを実現し，更に筒型容器には開閉ふたを設けて，ビデオカメラの収納ケースとしても使用可能にしたことを特徴とする外付け光学ファインダー．
【請求項２】
前記外付け光学ファインダーにおいて，レンズの取り付け構造にネジ方式またはスライド方式などによりレンズを前後に移動する機構を導入することにより焦点位置の調節を可能としたことを特徴とする請求項１記載の外付け光学ファインダー．
【請求項３】
前記の外付け光学ファインダーにおいて，各社のそれぞれのビデオカメラの液晶モニターの寸法に応じた挿入口を持ったアタッチメントを別に用意し，筒型容器の側面の液晶モニター挿入口に貼り付けることにより，各社のビデオカメラに対応できるようにしたことを特徴とする請求項１記載の外付け光学ファインダー．